(57)【要約】【課題】カメラの操作方法を簡単に習得できるようにした。【解決手段】被写体を撮影して画像データを生成する、複数の撮影モードを有するデジタルカメラにおいて、前記複数の撮影モードの設定操作を行うための操作子１０７と、画像を表示する表示部１０５ａと、前記複数の撮影モードを設定するための前記操作子１０７の操作手順を記憶しておく記憶部１１４を有し、前記表示部１０５ａに、今回設定しようとしている撮影モードを設定するための前記操作子１０７の一連の操作のうちの次の操作案内を、該操作子１０７の操作に応じて順次更新しながら表示させる操作ガイダンス部１１１とを備えた。【選択図】        図３
2004233839.tif 000002
【特許請求の範囲】
【請求項１】
被写体を撮影して画像データを生成する、複数の撮影モードを有するデジタルカメラにおいて、
前記複数の撮影モードの設定操作を行うための操作子と、
画像を表示する表示部と、
前記複数の撮影モードを設定するための前記操作子の操作手順を記憶し、前記表示部に、今回設定しようとしている撮影モードを設定するための前記操作子の一連の操作のうちの次の操作案内を、該操作子の操作に応じて順次更新しながら表示させる操作ガイダンス部とを備えたことを特徴とするデジタルカメラ。
【請求項２】
前記撮影モードのうちの少なくとも１つの撮影モードについて、該撮影モードによる撮影を禁止すると共に、前記操作ガイダンス部による該撮影モードに関する操作案内に沿った、該撮影モードの設定操作が正しく行われた場合に、該撮影モードによる撮影を解禁する撮影モード追加部を備えたことを特徴とする請求項１記載のデジタルカメラ。
【請求項３】
前記操作ガイダンス部は、操作案内に沿った正しい操作が行われた後、前記表示部に、該操作案内に沿った操作を前記操作案内を見ずに行うことを促すメッセージを表示させるものであることを特徴とする請求項１記載のデジタルカメラ。
【請求項４】
前記操作ガイダンス部は、さらに前記複数の撮影モードの案内順序を記憶しておくものであって、前記操作ガイダンス部は、１つの撮影モードに関し前記操作案内に従った正しい操作が行われた後、前記表示部に前記案内順序に従う次の撮影モードの操作案内を表示させるものであることを特徴とする請求項１記載のデジタルカメラ。
【請求項５】
前記操作子は、前記表示部に操作案内を表示させる撮影モードを選択する操作を受けるものであり、前記操作ガイダンス部は、前記表示部に、前記操作子の操作により選択された撮影モードの操作案内を表示させるものであることを特徴とする請求項１記載のデジタルカメラ。
【発明の詳細な説明】
【０００１】
【発明の属する技術分野】
本発明は、初心者が容易に操作方法を習得できる機能を備えたデジタルカメラに関する。
【０００２】
【従来の技術】
従来の計算機において、ショートカットメニューにアイコンの使用頻度ランクを登録すると共に、選択されたアイコンの使用頻度のランク付けを行うことにより、使用頻度の高いアイコンの選択を容易にするメニューの自動構成方法がある（例えば、特許文献参照）。
【０００３】
また、従来の情報処理装置において、主メニューと独立に表示されるメニューであり、使用頻度の高いコマンドを優先的に表示する副メニューを表示することで使用頻度の高いメニューをより少ないステップで選択できるようにした技術がある（例えば、特許文献２参照）。
【０００４】
また、従来のオンスクリーンメニュー操作装置において、主操作メニュー、副操作メニューが存在するメニューの場合、選択時間を省略するため、主操作メニュー選択時に使用頻度の高い副操作メニューを優先的に表示するようにした技術がある（例えば、特許文献３参照）、
【０００５】
【特許文献１】
特開１０−１０５３６０号公報（１頁、図１）
【特許文献２】
特開１０−２３２７５４号公報（１頁、図１）
【特許文献３】
特開２００１−２６８４６５号公報（１頁、図１）
【０００６】
【発明が解決しようとする課題】
一般に、デジタルカメラの操作は、フィルムカメラに比して複雑であり、フィルムカメラやレンズ付きフィルムを使用していた人にとっては操作の習得が煩雑で時間がかかり、操作方法が分からないためデジタルカメラを敬遠することもある。さらに、カメラの付加価値を高めるため、メニュー項目が増える傾向にあり、そのため新規ユーザにとってデジタルカメラはますます扱いにくくなってきている。
【０００７】
上記した特許文献１〜３は、コンピュータ等の情報機器の操作をしやすくするために、メニューの使用頻度を管理し、メニュー項目を選択しやすくする技術が開示されているが、デジタルカメラの操作性の向上については記載されてなく、デジタルカメラに適用することは困難である。さらに、ユーザにとって一度覚えたメニュー位置が変わることは操作性を損なうという問題があり、すばやい場合やい撮影操作を要するデジタルカメラでは支障をきたすことになる。
【０００８】
本発明は、上記事情に鑑み、操作方法を簡単に習得できるデジタルカメラを提供することを目的とする。
【０００９】
【課題を解決するための手段】
上記目的を達成する本発明のデジタルカメラは、被写体を撮影して画像データを生成する、複数の撮影モードを有するデジタルカメラにおいて、
前記複数の撮影モードの設定操作を行うための操作子と、
画像を表示する表示部と、
前記複数の撮影モードを設定するための前記操作子の操作手順を記憶し、前記表示部に、今回設定しようとしている撮影モードを設定するための前記操作子の一連の操作のうちの次の操作案内を、該操作子の操作に応じて順次更新しながら表示させる操作ガイダンス部とを備えたことを特徴とする。
【００１０】
本発明のデジタルカメラでは、操作子で選択した撮影モードの操作案内が表示部に表示され、操作子の操作に応じてこの操作案内を順次更新しながら表示させる。この操作案内に従って撮影操作を実施することにより、当該撮影モードの撮影操作を習得できる。
【００１１】
前記撮影モードのうちの少なくとも１つの撮影モードについて、該撮影モードによる撮影を禁止すると共に、前記操作ガイダンス部による該撮影モードに関する操作案内に沿った、該撮影モードの設定操作が正しく行われた場合に、該撮影モードによる撮影を解禁する撮影モード追加部を備えることが好ましい。これにより、複数の撮影モードについて段階的に１づつ操作方法を習得していくことができる。
【００１２】
前記操作ガイダンス部は、操作案内に沿った正しい操作が行われた後、前記表示部に、該操作案内に沿った操作を前記操作案内を見ずに行うことを促すメッセージを表示させるものであることが好ましい。
【００１３】
前記操作ガイダンス部は、さらに前記複数の撮影モードの案内順序を記憶しておくものであって、前記操作ガイダンス部は、１つの撮影モードに関し前記操作案内に従った正しい操作が行われた後、前記表示部に前記案内順序に従う次の撮影モードの操作案内を表示させるものであることが好ましい。
【００１４】
前記操作子は、前記表示部に操作案内を表示させる撮影モードを選択する操作を受けるものであり、前記操作ガイダンス部は、前記表示部に、前記操作子の操作により選択された撮影モードの操作案内を表示させるものであることが好ましい。
【００１５】
【発明の実施の形態】
以下、本発明の実施形態について説明する。
【００１６】
図１は本発明の実施形態を示す第１のデジタルカメラの外観図であって、（ａ）は正面図、（ｂ）は背面図である。
【００１７】
図１に示すデジタルカメラ１００は、撮影レンズ１０１からカメラ１００内部に配備されているＣＣＤ固体撮像素子１１０まで被写体の像が導かれるようになっている。デジタルカメラ１００の背面にはユーザがこのデジタルカメラ１００を使用するときに様々な操作を行うための操作部が設けられている。
【００１８】
この操作部には、操作用のスイッチ群と液晶モニタ（表示部）１０５ａが設けられている。操作スイッチ群にはデジタルカメラを作動させるための電源投入用のパワースイッチ１０２、撮影と再生とを自在に切替える撮影・再生切替レバー１０３、実行キー１０６ａ、キャンセルキー１０６ｂ、十字キー１０７および閃光発光部１０４のポップアップスイッチ１０８などがある。この十字キー１０７の内側には液晶表示パネル１０７ａが設けられていて液晶モニタ１０５ａに表示される選択メニューの項目が十字キー１０７によって選択できるようになっている。さらには液晶モニタ１０５ａの表示、非表示の切替を行うための表示キー１０５１も設けられている。また、このデジタルカメラ１００の上方にはレリーズ釦１０９が配備されている。このレリーズ釦１０９が全押しされると撮影の開始指示がデジタルカメラ内部の後述する信号処理部へと伝えられる。
【００１９】
また、このデジタルカメラ１００は、撮影・再生切替レバー１０３によって撮影と再生との切替が自在になっており、撮影を行うときにはユーザによって撮影・再生切替レバー１０３が撮影側１０３ａに切り替えられ、再生を行うときには撮影・再生切替レバー１０３が再生側１０３ｂに切り替えられる。また、夜間撮影も行えるように閃光発光装置１０４が配備されている。
【００２０】
さらににまた、このデジタルカメラ１００は、適宜位置にマイクロフォン１５０が内蔵されており、撮影者が音声を入力できるようになっている。
【００２１】
図２は、デジタルカメラ１００の内部に設けられている信号処理回路の一例を示すブロック構成図である。
【００２２】
本実施形態のデジタルカメラ１００では、すべての処理がＣＰＵ１１１によって制御されており、このＣＰＵ１１１の制御のもとにＤＳＰ１１２によってＣＣＤ固体撮像素子１１０で得られた画像データの処理が行われる。このＣＰＵ１１１とＤＳＰ１１２とは図示しないバスで接続されており、このバスを介してデータのやりとりが行われる。また、ＣＰＵ１１１にはＳＤＲＡＭ１１３とＦＬＡＳＨＲＯＭ１１４とが接続されており、ＳＤＲＡＭ１１３にはＤＳＰ１１２で処理が行われる画像データが記憶され、ＦＬＡＳＨＲＯＭ１１４にはＣＰＵ１１１に処理を実行させるためのプログラムが記憶されている。図２にはＤＳＰ１１２側へＳＤＲＡＭ１１３に記憶された画像データの読み出しが行われることが矢印で示されている。
【００２３】
このＣＰＵ１１１の入力部には、図１に示した各種キーおよびスイッチからなる操作部１１５の操作に応じた電気信号が入力される。この操作部１１５には、図１に示したパワースイッチ１０２、撮影・再生切替スイッチ１０３、表示キー１０５１、実行キー１０６ａ、キャンセルキー１０６ｂ、上キー１０７１、右キー１０７２、下キー１０７３、左キー１０７４の４つのキーで構成される十字キー１０７、レリーズ釦１０９に同期して作動するシャッタスイッチなどがある。このシャッタスイッチにはレリーズ釦１０９の半押し状態と全押し状態とが区別されるように二つの接点が備えられており、レリーズ釦１０９の半押し状態は撮影のスタンバイ状態を示すものとしてＣＰＵ１１１に認識される。
【００２４】
さらにまた、本実施形態のデジタルカメラ１００では液晶モニタ１０５ａに表示メニューの表示が可能な構成になっており、そのメニューで表示される項目の選択が上記十字キー１０７により行われる。
【００２５】
この十字キー１０７では液晶モニタ１０５ａに表示される選択メニューの、複数の項目の中のいずれかが選択できるようになっている。図１に示した十字キーの４つのキーのうち、上キー１０７１が押されたら上方向へ液晶モニタ１０５ａに表示されたカーソルが移動し、右キー１０７２が押されたらカーソルが右方向へ移動する構成になっている。
【００２６】
これらのキー１０７１〜１０７４が押されたときに、それらのキー１０７１〜１０７４が押されたことがＣＰＵ１１１に認識され、ＣＰＵ１１１では４つのキー１０７１〜１０７４のうち、いずれかのキーが押されたことに基づいてバスを経由させて液晶モニタ１０５ａへカーソルの移動指示が転送される。そうすると複数表示されている項目の中のいずれかにカーソルが移動してそれらの項目の中のいずれかがその移動したカーソルにより選択される。
【００２７】
カーソルが項目の中のいずれかに置かれた状態で実行キー１０６ａが押されればその項目が実行される。したがってユーザは液晶モニタ１０５ａに表示されたカーソルにより、選択メニューの中の、複数の項目のいずれかを選択することができる。
【００２８】
撮影・再生切替レバー１０３が再生側１０３ｂに切り替えられると記録メディアからの再生が行われる。このときには撮影を行うための指示を行うレリーズ釦などからの信号が入力されても処理は行われない。
【００２９】
次にＣＰＵ１１１の出力部を説明する。
【００３０】
ＣＰＵ１１１の出力部にはタイミングジェネレータ（以下ＴＧという）１１６、フォーカスレンズ１１８を駆動するためのモータドライバ（以下ＤＲＶという）１１７、および閃光発光部１０４に閃光発光を行わせる閃光発光装置１０４ａが接続されている。
【００３１】
撮影を行うときには液晶モニタ１０５ａ上に被写体像が被写体の動きにあわせて表示されている。この表示されている被写体の像を見ながら、ユーザによりフレーミングが行なわれ、レリーズ釦１０９が全押しされたら撮影が行なわれる。このレリーズ釦１０９が全押しされたら、ＣＰＵ１１１では撮影開始を指示する信号がＴＧ１１６へ出力される。ＴＧ１１６ではこの指示を受けてＣＣＤ固体撮像素子１１０へレリーズ釦１０９が押下されたことを知らせる信号が供給される。この信号を受けてＣＣＤ固体撮像素子１１０ではレリーズ釦１０９が全押しされたときにＣＣＤ固体撮像素子１１０によって撮像されていた画像データがＲＧＢ信号として出力される。
【００３２】
ここからはＣＣＤ固体撮像素子１１０で撮像された撮像信号がどのように処理されるかを、順を追って説明する。
【００３３】
ＣＣＤ固体撮像素子１１０で得られた撮像信号はＲＧＢ信号となってＣＤＳおよびＡ／Ｄ部１１９へ供給される。このＣＤＳおよびＡ／Ｄ部１１９で雑音の低減が行われてからデジタル信号に変換され、デジタルのＲＧＢ信号となってＤＳＰ１１２へ供給される。このＤＳＰ１１２内には画像信号処理部、圧縮処理部、ＡＥ（ＡｕｔｏＥｘｐｏｓｕｒｅ）検出部、ＡＷＢ（Ａｕｔｏ  Ｗｈｉｔｅ  Ｂａｌａｎｃｅ）検出部、ビデオエンコーダ、音声信号処理部などの各信号処理部が包含されている。
【００３４】
したがってこのＤＳＰ１１２でＣＣＤ固体撮像素子１１０で得られたＲＧＢ信号からなる画像データに一連の処理が施され、その処理が施された画像データがＬＣＤ１０５、記録メディア１３０といった出力機器へ出力される。音声についてはマイクロフォン１５０、スピーカ１４１等の音声入出力機器に必要な音声信号の処理がＤＳＰ１１２で行われる。この実施形態のデジタルカメラ１００ではマイクロフォン１５０からの音声信号がオーディオインタフェース１４０を介してＤＳＰ１１２で受け取られ、この受け取られた信号が一旦、ＤＳＰ１１２内に記憶され、必要に応じてその記憶された音声信号がＡＵＤＩＯ  Ｉ／Ｆ１４０を介してスピーカ１４１へ供給される。ＤＳＰ１１２内の音声信号処理部はデジタルカメラでムービ撮影が行われる場合などに利用される。以上がＣＣＤ固体撮像素子１１０により得られた撮影信号の流れである。
【００３５】
前述した撮影・再生切替レバー１０３が撮影側１０３ａに切り替えられ、撮影が行われるときの画像データの流れを詳細に説明する。
【００３６】
撮影が行われるときには、ＣＰＵ１１１の入力部に接続されている撮影・再生切替レバー１０３が撮影側１０３ａに切り替えられる。
【００３７】
このようなデジタルカメラ１００ではレリーズ釦１０９が押されていなくてもＬＣＤ１０５の表示画面１０５ａに撮影レンズが向けられた方向の被写体像がスルー画像として常に表示されている。この表示されているスルー画像は、ＣＣＤ固体撮像素子１１０から所定の間隔ごとに読み出されるＲＧＢ信号から成る画像データがＤＳＰ１１２内の画像信号処理部でＹＣ信号に変換され、そのＹＣ信号がＤＳＰ１１２内のビデオエンコーダを経由してＬＣＤ１０５に供給されて得られるものである。このようなスルー画像の表示が行われているときにはスルー画像ごとにＤＳＰ１１２で露出調節、焦点調節といったカメラ特有の信号処理が行われている。
【００３８】
ここで自分が求めている被写体が液晶モニタ１０５ａにスルー画像として表示されていたら、ユーザによりレリーズ釦１０９が全押しされる。ユーザによってレリーズ釦１０９が全押しされるとＣＰＵ１１１からＴＧ１１６に対して撮影の開始指示が出される。この開始指示を受けてＣＣＤ固体撮像撮像素子１１０ではＲＧＢ信号が出力される。なお、前述したようにレリーズ釦１０９には半押しと全押しの二つの操作態様があり、一気に全押しされたときであってもレリーズ釦１０９が半押しされた状態もＣＰＵ１１１では認識され、一瞬半押し状態になった時点では撮影スタンバイの状態になっている。
【００３９】
この出力されたＲＧＢ信号はＣＤＳおよびＡ／Ｄ変換部１１９でデジタル信号に変換され、ＤＳＰ１１２内の画像入力コントローラによってＤＳＰ１１２側へ導かれ、その導かれたＲＧＢ信号がＤＳＰ１１２内のバスを介してＳＤＲＡＭ１２１に供給され、ＳＤＲＡＭ１２１にデジタル信号のＲＧＢ信号が書き込まれる。そしてすべての画像データに対応するＲＧＢ信号の取り込みが完了したら、今度はＳＤＲＡＭ１２１からＲＧＢ信号が読み出されてＤＳＰ１１２に供給される。ＤＳＰ１１２ではＲＧＢ信号からＹＣ信号への変換が行なわれ、さらにＤＳＰ１２１内で圧縮された画像データがインタフェース１２０を介して記録メディア１３０に供給され、この記録メディア１３０に画像データがＪＰＥＧ圧縮ファイルとして記録される。
【００４０】
なおＤＳＰ１１２とＣＰＵ１１１とはバスによって接続されており、このバスを介してアドレス、データのやりとりが行われる。ＣＰＵ１１１には内部にレジスタが各種用意されており、これらのレジスタの内容が各信号処理部の処理の進行状況に応じて書き換えられる。ＣＰＵ内１１１ではこのレジスタの内容を判読してフラッシュＲＯＭ１１４内に格納されているプログラムの手順にしたがった処理が行われる。
【００４１】
以上が本実施形態のデジタルカメラ１００で撮影が行われるときに記録メディア１３０に記録されるまでの画像データの流れである。
【００４２】
本発明のデジタルカメラにおいては、撮影方法を習得するための操作ガイダンス機能を備えたものである。以下に、操作ガイダンスのによる撮影操作を、図３に示すフローチャート、図４、図５の表示画面、および図６、図７の操作ガイダンス（操作案内）の画面により説明する。なお、この操作ガイダンスは予めデジタルカメラの記憶部、本実施形態ではフラッシュメモリ１１４に格納されている。
【００４３】
図４に示すように、ユーザがデジタルカメラの電源を立ち上げると、液晶モニタ１０５ａに「操作ガイダンスを実行しますか」の選択画面が出る。この選択画面は、カメラ固有機能として電源立ち上げ時に自動的に表示されるようにしてもよいし、あるいはいずれかのキー（例えば、キャンセルキー）を押しながら電源立ち上げを行った場合に表示されるようにしてもよい。
【００４４】
これに基づいてユーザは、「ＹＥＳ」、「あとで」、「ＮＯ」のいずれかを選択する（ステップＳ１）。この選択操作は、十字キー１０７で行うことができる。例えば、「ＹＥＳ」は左キー１０７４、「ＮＯ」は右キー１０７２、「あとで」は上キー１０７１を押すことで各々選択できる。「あとで」を選択すると、操作ガイダンス機能は実行しない画面であり、メニュー項目としてはガイダンスにより獲得できる機能が出ない画面へと移る。また、「ＮＯ」を選択すると、ガイダンス機能を使用せず、カメラでできる機能は全て表示するものとし、ガイダンス操作のステップは終了する。
【００４５】
ステップＳ１で「ＹＥＳ」を選択すると、液晶モニタ１０５ａに操作ガイダンス（操作案内）が表示され、この操作案内に沿った操作を実施する（ステップＳ２）。
【００４６】
図６は、この操作ガイダンスに沿った操作の実例を示している。
【００４７】
最初に、図５（ａ）に示すように、液晶モニタ１０５ａに比較的易しい操作であるレベル１のマニュアルメニュー、この例ではセルフタイマの操作案内であることを示すセルフ１０を表示する。
【００４８】
次に、図６に示すように、キー操作によりセルフタイマの操作案内を順次表示していく。先ず、画面１で、「セルフタイマの操作方法」の表示および「実行キーを押して下さい」の指示が出る。この指示に従って実行キー１０６ａを押すと画面２に変わり、「次に上キーを押して下さい」の表示が出る。ここで上キー１０７１を押すと画面３に変わり、「実行キーを押して下さい」の表示が出る。この指示に従って実行キー１０６ａを押すと画面４に変わり、ＡＦ（オートフォーカスフレーム）１１が表示され、レリーズ釦１０９でシャッタ半押しに操作すると、画面５に変わり、ＡＦ１１が小さくなる。この状態でレリーズ釦１０９でシャッタ押し切りに操作すると、画面６に変わり、カウントダウン用の数字１２および点滅部１３が表示され、カウントダウンを開始し、カウントダウンの終了でこのセルフタイマの操作ガイダンスが終了する（ステップＳ３）。なお、操作ガイダンスの表示画面の途中で操作ガイダンスを中断した場合は、そのまま操作ガイダンスを終了する（ステップＳ４）。
【００４９】
以上でセルフタイマの操作が終了し、正確のセルフタイマ操作ができたら、次に操作案内なしで操作できるようにテスト実施を行う画面に変わる（ステップＳ５）。すなわち、画面７で「ＧＯＯＤ」、「次はガイダンスなしで操作してみて下さい」の表示が出て、画面８（画面２における操作案内が消えた表示）に変わり、この指示に従って実行キー１０６ａを押すと画面９（画面２における操作案内が消えた表示）に変わる。ここで上キー１０７１を押すと画面１０（画面３における操作案内が消えた表示）に変わり、ここで実行キー１０６ａを押すと画面１１（画面４と同じ）に変わり、ここでシャッタ半押し操作すると、画面１２（画面５と同じ）に変わり、シャッタ押し切り操作すると画面１３（画面６と同じ）でカウントダウン開始、カウントダウン終了後、画面１４に変わる。ユーザが操作案内なして正確に案内通りの操作ができ、かつ全ての操作ガイダンスが終了したらこの操作は終了する（ステップＳ７）。
【００５０】
ステップＳ７で全ての操作ガイダンスが終了していない場合は、画面１４で「ＥＸＣＥＬＬＥＮＮＴ」、「連写撮影機能が追加されました。ＬＥＶＥＬ２もがんばりましょう」の表示が出て次のレベル２のマニュアルメニューに移行する（ステップＳ８）。
【００５１】
最初に、図４（ｂ）に示すように、液晶モニタ１０５ａに次のレベル２、この例では連写の操作案内であることを示す連写１３を表示する。
【００５２】
次に、図７に示すように、連写のマニュアルメニューの操作ガイダンスを順次表示していく。先ず、画面１で、「連写の操作方法」の表示および「実行キーを押して下さい」の指示が出る。この指示に従って実行キー１０６ａを押すと画面２に変わり、「次に上キーを押して下さい」の表示が出る。ここで上キー１０７１を押すと画面３に変わり、「実行キーを押して下さい」の表示が出る。この指示に従って実行キー１０６ａを押すと画面４に変わり、ＡＦ（オートフォーカスフレーム）１１が表示され、レリーズ釦１０９でシャッタ半押しに操作すると、画面５に変わり、ＡＦ１１が小さくなる。この状態でレリーズ釦１０９でシャッタ押し切りに操作すると、画面６に変わり、撮影中と表示される。
【００５３】
以上の操作で撮影が終了した後、正確に連写撮影操作ができたら、次に操作案内なしで操作できるようにテスト実施を行う画面に変わる。すなわち、画面７で「ＧＯＯＤ」、「次はガイダンスなしで操作してみて下さい」の表示が出て、画面８（画面２における操作案内が消えた表示）に変わり、この指示に従って実行キー１０６ａを押すと画面９（画面２における操作案内が消えた表示）に変わる。ここで上キー１０７１を押すと画面１０（画面３における操作案内が消えた表示）に変わり、ここで実行キー１０６ａを押すと画面１１（画面４と同じ）に変わり、ここでシャッタ半押し操作すると、画面１２（画面５と同じ）に変わり、シャッタ押し切り操作すると画面１３（画面６と同じ）に変わり、撮影中の表示が出て、撮影終了後、ユーザが正確に操作案内の通りの操作ができていたら、「ＥＸＣＥＬＬＥＮＮＴ」、「ホワイトバランス機能が追加されました。ＬＥＶＥＬ３もがんばりましょう」の表示が出て次のレベル３の画面（図示省略）に変わる。以下、同様にして正確にそのマニュアルメニューの操作案内通りの操作ができていたら、次のレベルの画面に変わり、最終的に全レベルの撮影操作を習得できるようになっている。
【００５４】
上記実施形態では、セルフタイマおよび連写の撮影モードの操作ガイダンスのみ示したが、これに限定されず、例えば、絞り優先、シャッタ優先、多重露光、その他全ての撮影モードに対応した操作ガイダンスを使用することができる。
【００５５】
また、操作方法が習得できるまで、撮影、再生、消去等の基本機能の撮影モードのみ使用でき、他の撮影モードの使用を禁止するようにしておき、ある撮影モードが習得できたらその習得できた撮影モードについては解禁して使用可能にするようにすることもできる（フラッシュＲＯＭ１１４のプログラムの変更で可能）。これにより、操作に混乱を起こすことなく確実に操作を習得できる。
【００５６】
なおまた、図３のステップＳ１における操作ガイダンス実行の際、液晶モニタ１０５ａに利用可能の撮影モードの一覧を表示し、その中からユーザが習得したい任意の撮影モードを選択できるようにすることも可能である。
【００５７】
【発明の効果】
以上、説明したように、本発明によれば、表示部に表示された操作案内に従って撮影操作を実施することにより、種々の撮影モードの操作方法を間単に習得できる。
【図面の簡単な説明】
【図１】本発明の一実施形態であるデジタルカメラの外観図である。
【図２】図１のデジタルカメラ内に配備される信号処理部の構成ブロック図である。
【図３】一実施形態のデジタルカメラの動作を示すフローチャートである。
【図４】表示部に表示される操作ガイダンス選択画面の一例を示す図である。
【図５】表示部に表示される撮影モードの三例を示す図である。
【図６】操作ガイダンス（セルフタイマ）の実行手順を示すフローチャートである。
【図７】操作ガイダンス（連写）の実行手順を示すフローチャートである。
【符号の説明】
１００    デジタルカメラ
１０５ａ    液晶モニタ（表示部）
１０６ａ    実行キー（操作子）
１０７    十字キー（操作子）
１０７１    上キー（操作子）
１０７２    右キー（操作子）
１０７３    下キー（操作子）
１０７４    左キー（操作子）
１０９    レリーズ釦
１１１    ＣＰＵ（操作ガイダンス部）
１１４    フラッシュメモリ（記憶部）
【図１】
2004233839.tif 000003
【図２】
2004233839.tif 000004
【図３】
2004233839.tif 000005
【図４】
2004233839.tif 000006
【図５】
2004233839.tif 000007
【図６】
2004233839.tif 000008
【図７】
2004233839.tif 000009